(57)【要約】【課題】  携帯電話機の外部接続端子に外部着脱式記憶装置を接続するのみで、当該外部着脱式記憶装置に記憶されている広告映像・音声データと補助データを自動再生することができる携帯電話機用広告映像・音声再生装置を提供する。【解決手段】  外部着脱式記憶装置１１を携帯電話機２０の外部接続端子２０Ａに接続すると、コンテンツ自動再生プログラムＰが外部着脱式記憶装置１１の記憶部１１Ｂから携帯電話機２０のアプリケーションプログラム格納エリア２０Ｂに転送され、携帯電話機２０内で自動的に起動する。コンテンツ自動再生プログラムＰは外部着脱式記憶装置１１に記憶されている広告映像・音声データＤ１と補助データＤ０を判別し、これを携帯電話機２０のコンテンツ記憶エリア２０Ｃに読み込み、携帯電話機２０に備わっている再生機能を動作させて広告映像・音声データＤ１と補助データＤ０の再生処理を開始させる。【選択図】図１
2008078866.tif 000002
【特許請求の範囲】
【請求項１】
携帯電話機の外部接続端子に接続される外部着脱式記憶媒体装置を備え、当該外部着脱式記憶媒体装置に当該携帯電話機で再生可能な広告映像・音声データと当該広告映像・音声データを当該携帯電話機で自動再生させるコンテンツ自動再生プログラムとを記憶させたことを特徴とする携帯電話機用広告映像・音声再生装置。
【請求項２】
前記外部着脱式記憶媒体装置に、携帯電話機と接続されたことを検知して前記コンテンツ自動再生プログラムを当該携帯電話機内のアプリケーションプログラム格納エリアに転送する機能を持たせるとともに、当該コンテンツ自動再生プログラムが当該携帯電話機内で自動的に起動するように構成したことを特徴とする請求項１記載の携帯電話機用広告映像・音声再生装置。
【請求項３】
任意の広告映像・音声データを前記携帯電話で再生可能な広告映像・音声データに変換し、前記コンテンツ自動再生プログラムと共に前記外部着脱式記憶媒体装置に記憶させる書込装置を備えたことを特徴とする請求項１または２記載の携帯電話機用広告映像・音声再生装置。
【請求項４】
前記書込装置は、前記外部着脱式記憶媒体装置と無線または有線により通信して、当該外部着脱式記憶媒体装置に記憶させる広告映像・音声データ又は前記コンテンツ自動再生プログラムの追加、削除及び更新のうち少なくとも１つの処理を行う機能を備えていることを特徴とする請求項３記載の携帯電話機用広告映像・音声再生装置。
【請求項５】
前記コンテンツ自動再生プログラムが広告映像・音声データの再生動作を実行している時に携帯電話機に対し所定の操作がなされると、広告映像・音声データや当該データに関する詳細情報を追加する処理、又は有料データの購入に係る処理が実行されるように構成したことを特徴とする請求項４記載の携帯電話機用広告映像・音声再生装置。
【請求項６】
前記外部着脱式記憶媒体装置に補助データを記憶しておき、当該補助データを用いてクレジットカード若しくは電子マネーによる電子決済手続に相当する手続処理を行う機能、又は、当該補助データを用いて会員カード、ポイントカード若しくは入退出管理カードによる履歴管理に相当する管理処理を行う機能を備えたことを特徴とする請求項１〜５のいずれかに記載の携帯電話機用広告映像・音声再生装置。
【請求項７】
前記補助データに認証コードを含み、当該認証コードを用いて、前記手続処理を行う機能又は前記管理処理を行う機能の使用権原の有無を判別し、その判別結果に応じて、これらの機能を使用可能又は使用不可能とする機能を備えたことを特徴とする請求項６記載の携帯電話機用広告映像・音声再生装置。
【請求項８】
前記外部着脱式記憶装置は、バッテリを内蔵し、当該バッテリに蓄えられている電力の一部を前記携帯電話機に供給する機能を備えていることを特徴とする請求項１〜７のいずれかに記載の携帯電話機用広告映像・音声再生装置。
【発明の詳細な説明】
【技術分野】
【０００１】
本発明は、携帯電話機の外部接続端子に外部着脱式記憶装置を接続することにより、当該外部着脱式記憶装置に記憶させた広告映像・音声データを当該携帯電話機で再生する広告映像・音声再生技術の分野に属する。
【背景技術】
【０００２】
現在普及している多くの携帯電話機は、種々のアプリケーションプログラムを実装することによりその多機能性を実現している。したがって、新たなアプリケーションプログラムを実装することにより新たな機能を持たせることができる。しかし、新たなアプリケーションプログラムを所定のサイトからダウンロードし実装するための操作は煩雑である。そして、携帯電話機の所有者はアプリケーションプログラムのダウンロードにかかるネットワーク通信費を負担しなければならない。また、必要なアプリケーションプログラムが実装されている携帯電話機においても、アプリケーションプログラムを起動し動作を完了するまでに、煩雑な操作とネットワーク通信による不要な広告の取得による通信費の負担が生じる。
【０００３】
一方、本体内に装着したメモリーカード（ＳＤカード（登録商標）、メモリースティック（登録商標）、等）にデータを記録し再生できる携帯電話機が普及している。
【０００４】
しかし、従来のこの種の携帯電話機では、メモリーカードに記憶されている映像や音楽などを再生する際、携帯電話機のボタンを操作してメニュー画面を呼び出し、そのメニュー画面からデータ種別選択画面に進み、そのデータ種別選択画面上でメモリーカードへのアクセスを選択し、フォルダ一覧から目的のコンテンツフォルダを選択して再生指示操作を行う、といった複数回に亘る煩雑なボタン操作を行う必要がある。
【０００５】
【特許文献１】特開２００２−９９６６号公報
【特許文献２】特開２００２−２８１１４０号公報
【発明の開示】
【発明が解決しようとする課題】
【０００６】
本発明が解決しようとする課題は、携帯電話機の外部接続端子に外部着脱式記憶装置を接続するのみで、当該外部着脱式記憶装置に記憶されている広告映像・音声データを自動再生することができる携帯電話機用広告映像・音声再生装置を提供することにある。
【課題を解決するための手段】
【０００７】
上記課題を解決するために、本発明の携帯電話機用映像・音声再生装置は、携帯電話機の外部接続端子に接続される外部着脱式記憶装置を備え、当該外部着脱式記憶装置に、当該携帯電話機で再生可能な広告映像・音声データと、当該広告映像・音声データを当該携帯電話機で自動再生させるコンテンツ自動再生プログラムとを記憶させたものである。
【０００８】
上記のように構成された携帯電話機用映像・音声再生装置では、外部着脱式記憶装置を携帯電話機の外部接続端子に接続すると、外部着脱式記憶装置に記憶されているコンテンツ自動再生プログラムが起動し、外部着脱式記憶装置に記憶されている広告映像・音声データが携帯電話機で自動再生される。
【０００９】
本発明の携帯電話機用広告映像・音声再生装置は、前記外部着脱式記憶装置に、携帯電話機と接続されたことを検知して前記コンテンツ自動再生プログラムを当該携帯電話機内のアプリケーションプログラム格納エリアに転送する機能を持たせるとともに、当該コンテンツ自動再生プログラムが当該携帯電話機内で自動的に起動するように構成されていることが望ましい。
【００１０】
上記のように構成された携帯電話機用広告映像・音声再生装置では、外部着脱式記憶装置を携帯電話機の外部接続端子に接続すると、コンテンツ自動再生プログラムが携帯電話機内のアプリケーションプログラム格納エリアに転送され、携帯電話機内で自動的に起動することにより、外部着脱式記憶装置に記憶されている広告映像・音声データが携帯電話機で自動再生される。
【００１１】
本発明の携帯電話機用広告映像・音声再生装置は、任意の広告映像・音声データを前記携帯電話機で再生可能な広告映像・音声データに変換し、前記コンテンツ自動再生プログラムと共に前記外部着脱式記憶装置に記憶させる書込装置を備えることが望ましい。
【００１２】
上記のように構成された携帯電話機用広告映像・音声再生装置によれは、書込装置を使用することにより、任意の広告映像・音声データを携帯電話機で再生可能な広告映像・音声データに変換し、コンテンツ自動再生プログラムと共に外部着脱式記憶装置に記憶させることができるので、任意の広告映像・音声データを携帯電話機で自動再生できるようにすることが可能になる。
【００１３】
本発明の携帯電話機用広告映像・音声再生装置において、前記書込装置は、前記外部着脱式記憶媒体装置と無線又は有線により通信して、当該外部着脱式記憶媒体装置に記憶させる広告映像・音声データ又は前記コンテンツ自動再生プログラムの追加、削除及び更新のうち少なくとも１つの処理を行う機能を備えていることが望ましい。
【００１４】
上記のように構成された携帯電話機用広告映像・音声再生装置によれは、外部着脱式記憶媒体装置に記憶させる広告映像・音声データ又はコンテンツ自動再生プログラムの追加、削除、更新が書込装置により自動的に行われるので、外部着脱式記憶媒体装置に記憶させる広告映像・音声データ又はコンテンツ自動再生プログラムを追加、削除、更新するためにユーザの手を煩わせることがなく、また外部着脱式記憶媒体装置の記憶内容を常に最新のものとすることができる。
【００１５】
本発明の携帯電話機用広告映像・音声再生装置は、前記コンテンツ自動再生プログラムが広告映像・音声データの再生動作を実行している時に携帯電話機に対し所定の操作がなされると、広告映像・音声データや当該データに関する詳細情報を追加する処理、又は有料データの購入に係る処理を実行する機能を備えていることが望ましい。
【００１６】
上記のように構成された携帯電話機用広告映像・音声再生装置によれば、広告映像・音声データが再生されている時に携帯電話機を操作することにより、広告映像・音声データや当該データに関する詳細情報を追加したり、有料データを購入したりすることができる。
【００１７】
本発明の携帯電話機用広告映像・音声再生装置は、前記外部着脱式記憶媒体装置に補助データを記憶しておき、当該補助データを用いてクレジットカード若しくは電子マネーによる電子決済手続に相当する手続処理を行う機能、又は、当該補助データを用いて会員カード、ポイントカード若しくは入退出管理カードによる履歴管理に相当する管理処理を行う機能を備えていることが望ましい。
【００１８】
上記のように構成された携帯電話機用広告映像・音声再生装置によれば、外部着脱式記憶媒体装置を携帯電話機に接続することにより、当該携帯電話機の通信機能を利用して、電子決済手続に相当する手続処理、入退出管理カードによる履歴管理に相当する管理処理を行うことができる。
【００１９】
本発明の携帯電話機用広告映像・音声再生装置は、前記補助データに認証コードを含み、当該認証コードを用いて、前記手続処理を行う機能又は前記管理処理を行う機能の使用権原の有無を判別し、その判別結果に応じて、これらの機能を使用可能又は使用不可能とする機能を備えていることが望ましい。
【００２０】
上記のように構成された携帯電話機用広告映像・音声再生装置によれば、電子決済手続に相当する手続処理や入退出管理カードによる履歴管理に相当する管理処理の権原なき第三者による実行を防止できる。
【００２１】
本発明の携帯電話機用広告映像・音声再生装置において、前記外部着脱式記憶装置はバッテリを内蔵しており、当該バッテリに蓄えられている電力の一部を前記携帯電話機に供給する機能を備えていることが望ましい。
【００２２】
上記のように構成された携帯電話機用広告映像・音声再生装置によれは、広告映像・音声データを自動再生している携帯電話機のバッテリーの電力消耗が抑えられる。
【発明の効果】
【００２３】
本発明の携帯電話機用広告映像・音声再生装置によれば、携帯電話機の外部接続端子に外部着脱式記憶装置を接続するのみで、当該外部着脱式記憶装置に記憶されている広告映像・音声データと補助データを自動再生することができるので、外部着脱式記憶装置に記憶されている広告映像・音声や決済入出履歴などを携帯電話機で再生するために複雑なボタン操作を行う必要がない。
【発明を実施するための最良の形態】
【００２４】
次に、本発明の実施形態について説明する。
【００２５】
図1は本発明の携帯電話機用広告映像・音声再生装置の構成例を示すブロック図である。
【００２６】
図１に例示する携帯電話機用広告映像・音声再生装置１０は携帯電話機２０に着脱可能に装着される外部着脱式記憶装置１１と外部着脱式記憶装置１１に情報を書き込む書込装置１２とを備えている。図１（ａ）は外部着脱式記憶装置１１が携帯電話機２０の外部接続端子２０Ａに接続されている状態を示している。図１（ｂ）は外部着脱式記憶装置１１が書込装置１２の媒体接続端子１２Ａに接続されている状態を示している。図１（ｃ）は外部着脱式記憶装置１１が書込装置１２と非接触による通信を行っている状態を示している。
【００２７】
外部着脱式記憶装置１１は、携帯電話機２０の外部接続端子２０Ａ及び書込装置１２の媒体接続端子１２Ａに接続されるコネクタ部１１Ａと、不揮発性ＲＡＭからなる記憶部１１Ｂと、記憶部１１Ｂへのデータの書込み／読出し並びに携帯電話機２０等との通信を含む各種制御を行う制御部１１Ｃと、書込装置１２と通信を行う通信制御部１１Ｄと、バッテリ１１Ｅとを備えた記憶媒体である。制御部１１Ｃは外部着脱式記憶装置１１が携帯電話機２０と接続されたことを検知すると、記憶部１１Ｂに記憶されているコンテンツ自動再生プログラムＰを携帯電話機２０内のアプリケーションプログラム格納エリア２０Ｂに転送する機能を有している。また、バッテリ１１Ｅの電力は、外部着脱式記憶装置１１内の記憶部１１Ｂ及び制御部１１Ｃ及び通信制御部１１Ｄに供給されるとともに、コネクタ部１１Ａを介して携帯電話機２０にも供給されるようになっている。
【００２８】
書込装置１２は、外部着脱式記憶装置１１のコネクタ部１１Ａが接続される媒体接続端子１２Ａと、外部のＡＶ機器（ＤＶＤ再生装置、ＣＤ再生装置、ビデオ録画・再生装置、ビデオカメラ、テレビ受像器、等）やコンピュータなどから任意の広告映像・音声データＤ１及び補助データＤ０を取り込むＡＶ信号入力部１２Ｂと、ＡＶ信号入力部１２Ｂから取り込んだ任意の広告映像・音声データＤ１及び補助データＤ０を携帯電話機２０で再生可能な圧縮形式（フォーマット様式）の広告映像・音声データＤ１及び補助データＤ０に変換し、その広告映像・音声データＤ１及び補助データＤ０を外部着脱式記憶装置１１に転送するとともにその広告映像・音声データＤ１及び補助データＤ０を携帯電話機２０で自動再生させるコンテンツ自動再生プログラムＰを外部着脱式記憶装置１１に転送する制御部１２Ｃと、外部着脱式記憶装置１１と通信を行う通信制御部１２Ｄと、インターネット等の外部ネットワークに接続するためのネットワーク接続機能部１２Ｅと、を備えている。広告映像・音声データＤ１及び補助データＤ０並びにコンテンツ自動再生プログラムＰは、外部着脱式記憶装置１１の通信制御部１１Ｄを介して記憶部１１Ｂに記憶されるようになっている。
【００２９】
上記のように構成された携帯電話機用広告映像・音声再生装置１０では、書込装置１２を使用することにより、外部のＡＶ機器やパソコンなどからの任意の広告映像・音声データＤ１と補助データＤ０を携帯電話機２０で再生可能な圧縮形式の広告映像・音声データＤ１と補助データＤ０に変換し、コンテンツ自動再生プログラムＰと共に外部着脱式記憶装置１１に記憶させることができる。外部着脱式記憶装置１１を携帯電話機２０の外部接続端子２０Ａに接続すると、コンテンツ自動再生プログラムＰが外部着脱式記憶装置１１の記憶部１１Ｂから携帯電話機２０のアプリケーションプログラム格納エリア２０Ｂに転送され、携帯電話機２０内で自動的に起動する。コンテンツ自動再生プログラムＰは、外部着脱式記憶装置１１に記憶されている広告映像・音声データＤ１と補助データＤ０を判別し、これを携帯電話機２０のコンテンツ記憶エリア２０Ｃに読み込み、携帯電話機２０に備わっている再生機能を動作させて広告映像・音声データＤ１と補助データＤ０の再生処理を開始させる。
【００３０】
このように、この実施形態の携帯電話機用広告映像・音声再生装置１０によれは、携帯電話機２０の外部接続端子２０Ａに外部着脱式記憶装置１１を接続するのみで、外部着脱式記憶装置１１に記憶されている広告映像・音声データＤ１と補助データＤ０を自動再生することができるので、外部着脱式記憶装置１１に記憶されている広告映像や広告音楽などを携帯電話機２０で再生するために従来のような複雑なボタン操作を行う必要がない。
【００３１】
また、外部着脱式記憶装置１１に記憶されている広告映像・音声データＤ１と補助データＤ０の自動再生中に、外部着脱式記憶装置１１のバッテリ１１Ｅの電力の一部が携帯電話機２０に供給されるので、携帯電話機２０のバッテリ２０Ｄの電力消耗を抑えることができる。
【００３２】
なお、上記の実施形態では、書込装置１２が外部のＤＶ機器から取り込んだ任意の広告映像・音声データＤ１と補助データＤ０を携帯電話機２０で再生可能な圧縮形式の広告映像・音声データＤ１と補助データＤ０に変換する構成としたが、録画・再生装置などの機能を書込装置１２自体に持たせてもよい。
【００３３】
また、携帯電話機の新機種の出現などに敏速に対応できるように、コンテンツ自動再生プログラムＰをインターネット等を介して常に最新のバージョンに更新する機能を書込装置１２に持たせておくことが望ましい。
【００３４】
また、コンテンツ自動再生プログラムＰ自体に、携帯電話機のネットワーク機能や赤外線通信機能などを利用して、その状態の最適化のための種々の情報を取り込む機能を持たせてもよい。この種の機能を実現する方法として、広告映像・音声データＤ１と補助データＤ０に含まれる文字やシンクロ情報信号などを手がかりにして最適化を行う方法を挙げることができる。
【００３５】
また、広告映像・音声データＤ１と補助データＤ０は外部着脱式記憶装置１１の通信制御部１１Ｄを書込装置１２の通信制御部１２Ｄを介して非接触で情報のやり取りを行うことで、簡単に最新の広告映像・音声データＤ１と補助データＤ０の情報を入手できることが望ましい。
【００３６】
また、書込装置１２は、外部着脱式記憶装置１１と無線又は有線により通信して、外部着脱式記憶装置１１に記憶させる広告映像・音声データＤ１又はコンテンツ自動再生プログラムＰの追加、削除及び更新のうち少なくとも１つの処理を行う機能を備えていることが望ましい。外部着脱式記憶装置１１に記憶させる広告映像・音声データＤ１又はコンテンツ自動再生プログラムＰの追加、削除、更新が書込装置１２により自動的に行われることにより、外部着脱式記憶装置１１に記憶させる広告映像・音声データＤ１又はコンテンツ自動再生プログラムＰを追加、削除、更新するためにユーザの手を煩わせることがなく、また外部着脱式記憶装置１１の記憶内容を常に最新のものとすることができる。
【００３７】
また、外部着脱式記憶装置１１は、コンテンツ自動再生プログラムＰが広告映像・音声データＤ１の再生動作を実行している時に携帯電話機２０に対し所定の操作がなされると、広告映像・音声データＤ１や当該データＤ１に関する詳細情報を追加する処理、又は有料データの購入に係る処理を実行する機能を備えていることが望ましい。この構成により、広告映像・音声データＤ１が再生されている時に携帯電話機２０を操作することにより、広告映像・音声データＤ１や当該データＤ１に関する詳細情報を追加したり、有料データを購入したりすることができるようになる。
【００３８】
また、外部着脱式記憶装置１１に補助データＤ０を記憶しておき、当該補助データＤ０を用いてクレジットカード若しくは電子マネーによる電子決済手続に相当する手続処理を行う機能、又は、当該補助データＤ０を用いて会員カード、ポイントカード若しくは入退出管理カードによる履歴管理に相当する管理処理を行う機能を備えていることが望ましい。この構成によれば、外部着脱式記憶装置１１を携帯電話機２０に接続することにより、携帯電話機２０の通信機能を利用して、電子決済手続に相当する手続処理、入退出管理カードによる履歴管理に相当する管理処理を行うことができる。
【００３９】
また、補助データＤ０に認証コードを含み、当該認証コードを用いて、前記手続処理を行う機能又は前記管理処理を行う機能の使用権原の有無を判別し、その判別結果に応じて、これらの機能を使用可能又は使用不可能とする機能を備えていることが望ましい。この構成により、電子決済手続に相当する手続処理や入退出管理カードによる履歴管理に相当する管理処理の権原なき第三者による実行を防止できる。
【００４０】
また、書込装置１２は、広告映像・音声データＤ１と補助データＤ０に著作権保護のための情報や個人情報保護のための情報を含ませる機能を備えていることが望ましい。
【図面の簡単な説明】
【００４１】
【図１】本発明の携帯電話機用広告映像・音声再生装置の構成例を示すプロック図であり、（ａ）は外部着脱式記憶媒体が携帯電話機の外部接続端子に接続されている状態を、（ｂ）は外部着脱式記憶装置が書込装置の媒体接続端子に接続されている状態を、（ｃ）は外部着脱式記憶装置が書込装置と非接触による通信がされている状態をそれぞれ示している。
【符号の説明】
【００４２】
１０  携帯電話機用広告映像・音声再生装置
１１  外部着脱式記憶装置
１１Ａ  コネクタ部
１１Ｂ  記憶部
１１Ｃ  制御部
１１Ｄ  通信制御部
１１Ｅ  バッテリ
１２  書込装置
１２Ａ  媒体接続端子
１２Ｂ  ＡＶ信号入力部
１２Ｃ  制御部
１２Ｄ  通信制御部
１２Ｅ  ネットワーク接続機能部
２０  携帯電話機
２０Ａ  外部接続端子
２０Ｂ  アプリケーションプログラム格納エリア
２０Ｃ  コンテンツ記憶エリア
２０Ｄ  バッテリ
Ｄ０  補助データ
Ｄ１  広告映像・音声データ
Ｐ  コンテンツ自動再生プログラム
【図１】
2008078866.tif 000003